(57)【特許請求の範囲】
【請求項１】
複数の情報記録層を備えた多層光記録媒体に対して情報を記録する情報記録方法であって、
光入射面からの距離が６５μｍよりも大きく設定される第１情報記録層に記録レーザー光を照射して情報を記録すると共に、前記記録レーザー光の反射光を検出して前記多層光記録媒体の欠陥情報を収集し、
前記第１情報記録層が欠陥領域となるか否かにかかわらず、前記欠陥情報のレベルに応じて、前記光入射面からの距離が６５μｍ以下に設定される第２情報記録層の欠陥領域及び非欠陥領域を予め判別し、
前記欠陥領域を回避しながら前記第２情報記録層に記録レーザー光を照射して情報を記録することを特徴とする多層光記録媒体の情報記録方法。
【請求項２】
前記第１情報記録層は、前記光入射面からの距離が１００μｍ以内に設定されていることを特徴とする請求項１に記載の多層光記録媒体の情報記録方法。
【請求項３】
前記第１情報記録層として、前記多層光記録媒体の光入射面からの距離が最も離れた情報記録層を選択することを特徴とする請求項１又は２記載の多層光記録媒体の情報記録方法。
【請求項４】
前記第２情報記録層として、前記多層光記録媒体の光入射面からの距離が最も近い情報記録層を選択することを特徴とする請求項１乃至３のいずれか記載の多層光記録媒体の情報記録方法。
【請求項５】
前記欠陥情報のレベルを利用して、複数の情報記録層の中から適した前記第２情報記録層を選択する事を特徴とする請求項１乃至４のいずれか記載の多層光記録媒体の情報記録方法。
【請求項６】
前記多層光記録媒体が外部に取り出されたと判断した場合、前記欠陥情報を初期化することを特徴とする請求項１乃至５のいずれか記載の多層光記録媒体の情報記録方法。
【請求項７】
前記第１情報記録層に対する情報記録が所定量に達したと判断した場合に、前記第２情報記録層に対する情報記録行為に移行することを特徴とする請求項１乃至６のいずれか記載の多層光記録媒体の情報記録方法。
【請求項８】
前記所定量として、記録領域又は情報記録量が予め設定されていることを特徴とする請求項７記載の多層光記録媒体の情報記録方法。
【請求項９】
前記所定量として、情報記録時間が予め設定されていることを特徴とする請求項７又は８記載の多層光記録媒体の情報記録方法。
【請求項１０】
前記第１情報記録層に対する前記記録レーザー光による情報記録領域に対して、前記第２情報記録層の情報記録領域を厚さ方向に重ならせることを特徴とする請求項１乃至９のいずれか記載の多層光記録媒体の情報記録方法。
【請求項１１】
前記第１情報記録層が、記録された情報を消去して再度の記録が可能な書換型であることを特徴とする請求項１乃至１０のいずれか記載の多層光記録媒体の情報記録方法。
【請求項１２】
複数の情報記録層を備えた多層光記録媒体に対して情報を記録する情報記録装置に用いられる多層光記録用制御装置であって、
光入射面からの距離が６５μｍよりも大きく設定される第１情報記録層に記録レーザー光を照射して情報を記録する際の前記記録レーザー光の反射光を検出して前記多層光記録媒体の欠陥情報を収集する欠陥情報収集部と、
前記第１情報記録層が欠陥領域となるか否かにかかわらず、前記欠陥情報収集部における前記欠陥情報のレベルに応じて、前記光入射面からの距離が６５μｍ以下に設定される第２情報記録層の欠陥領域及び非欠陥領域を設定する欠陥領域設定部と、
前記欠陥領域を回避しながら前記第２情報記録層に対する情報の記録を指示する情報書込み指示部と、
を備える事を特徴とする多層光記録用制御装置。
【請求項１３】
請求項１２記載の多層光記録用制御装置と、前記記録レーザー光を発生するレーザー光源と、前記レーザー光源を制御するレーザーコントローラと、前記記録レーザー光を前記多層光記録媒体に導く光学機構と、前記記録レーザー光の反射光を検出して情報を前記制御装置に提供する光検出装置と、を備える事を特徴とする多層光記録媒体の情報記録装置。
【発明の詳細な説明】
【技術分野】
【０００１】
本発明は複数の情報記録層が積層されている多層光記録媒体に対する情報記録方法、該情報記録方法を実行する制御装置や情報記録装置に関する。
【背景技術】
【０００２】
従来、光記録媒体としてＣＤやＤＶＤが広く利用されている。この種の光記録媒体に要求される記録容量は年々増大してきており、その要求に対応する為に様々な提案がなされている。例えば、ＤＶＤ−ＶｉｄｅｏやＤＶＤ−ＲＯＭ等の再生専用光記録媒体においては、情報記録層を２層構造にすることによって、記録容量を増大したものが実用化されている。
【０００３】
図１０に示されるＤＶＤのように、２枚の基板のそれぞれにピットを形成して情報記録層とし、この２枚の基板を、情報記録層が対向する状態で、スペーサー層を介在させて貼り合わせた構造の光記録媒体が実用化されてきている。
【０００４】
また、図１１に示されるように、一方の情報記録層はＤＶＤ形式でフォーマットされ、他方の情報記録層はＣＤ形式でフォーマットされたハイブリット構造のＤＶＤも実用化されている。この場合、それぞれの規格に適応させる理由から、ＤＶＤ形式のフォーマットとなる情報記録層は光入射面から０．６ｍｍに設定されて４．７ＧＢの容量を備えており、ＣＤ形式のフォーマットとなる情報記録層は同光入射面から１．２ｍｍに設定されて０．７ＧＢの容量を備える。各情報記録層に記録された信号を再生するには、波長や開口数（ＮＡ）の異なる２種類の光学系が必要となる。
【０００５】
ところで、近年、更なる記録容量の増大を図るために、ブルーレイ・ディスク等の新たな規格が提案されている。ブルーレイ・ディスクでは、光入射面から０．１ｍｍの近傍に情報記録層が積層されており、この情報記録層には２５ＧＢの情報を記録することが可能となっている。例えば２層構造のブルーレイ・ディスクの場合、一方の情報記録層は光入射面から０．０７５ｍｍの位置に形成され、他方の情報記録層が光入射面から０．１ｍｍの位置に形成される。
【０００６】
大容量の光記録媒体では、データの記録・再生に用いるレーザー光のビームスポット径を小さく絞ることが要求される。そのためにはレーザー光を集束する対物レンズの開口数（ＮＡ）を大きくするとともに、レーザー光の波長λを短くする必要が生じる。
【０００７】
しかし、対物レンズの開口数を大きくすると、光記録媒体に対するレーザー光のチルトマージン、即ち、光記録媒体に対する光軸の傾斜角度誤差の許容量が非常に小さくなる問題が生じる。一方、光記録媒体の光入射面から情報記録層までの距離を小さくするとチルトマージンは大きくなる。従って、対物レンズの開口数を大きくしつつも、チルトマージンが小さくなることを防止するためには、光入射面から情報記録層までの距離（即ち、光透過層の厚さ）を小さくすることが効果的である。そこで、ブルーレイ・ディスクにおいては、光透過層の厚みを１００μｍ程度としている。
【特許文献１】特許第３２０６７４８号公報
【特許文献２】特許第３２１０５４９号公報
【発明の開示】
【発明が解決しようとする課題】
【０００８】
しかしながら、ブルーレイ・ディスクのように、光透過層が薄く設定されることにより、光入射面から近い場所に情報記録層を形成する場合、指紋やゴミ等が、情報の記録・再生に対して悪影響を与えやすいという問題があった。例えば、ブルーレイ・ディスクの規格に対して更に情報記録層を追加する場合、光入射面から０．１ｍｍ以内の距離に情報記録層を配置する必要が生じるので、これらの情報記録層は特に指紋等の影響を受け易いことになる。この影響を明らかにするために行った、（本出願時では未公知となる）本発明者らの解析結果を図１２に示す。この解析では、光記録媒体の情報記録層の距離を変化させ、指紋等の異物の存在の有無によるビットエラーレート（ｂＥＲ）の変化を調べたものである。光記録媒体に付着させる異物としては、［実施例］で詳細に後述する人工指紋を用いた。なお、光入射面から光入射側情報記録層の距離の調整は、カバー層の厚みを変化させることで行い、情報記録層の記録容量は全て一致させた。なお、情報記録層の厚みは４８ｎｍとし、その組成は、ビスマス（Ｂｉ）、酸素（Ｏ）、ゲルマニウム（Ｇｅ）を採用し、その組成比率（ａｔｍ％）をＢｉ：Ｏ：Ｇｅ＝２３：６８：９に設定した。ｂＥＲとは、所定ビット数に対するエラービット数の割合であり、再生されるデジタル信号情報の中にどれだけのエラーが含まれていたかを把握できる。一般に、ｂＥＲが１０−３以上になると、信号に冗長性を持たせてもエラー補正が難しくなる。
【０００９】
図１２からも明らかなように、光入射面から情報記録層までの距離が７５μｍ以内、特に６５μｍ以内になると、指紋付着の影響によって大幅にｂＥＲが増大し、１０−３を超えやすいという問題が明らかとなった。
【００１０】
特に、光入射面に指紋等が付着したままの状態で情報を記録すると、記録マークが未完成となり信号の再生品質が悪化するという問題があった。例えば、これを解決する手法として、記録開始前にディスク表面の検査することが考えられるが、この方法では、ディスクを投入してから実際に記録が開始されるまでに長時間を要するので、利用者に不快感を与えてしまうという問題があった。
【００１１】
本発明は上記問題点に鑑みてなされたものであり、多層光記録媒体において、指紋等の表面欠陥が存在する場合であっても確実且つ高速に情報を記録可能とする情報記録方法等を提供することを目的としている。
【課題を解決するための手段】
【００１２】
上記目的を達成するために、本研究者らの鋭意研究によりなされた本発明は、複数の情報記録層を備えた多層光記録媒体に対して情報を記録する情報記録方法であって、光入射面からの距離が６５μｍよりも大きく設定される第１情報記録層に記録レーザー光を照射して情報を記録すると共に、前記記録レーザー光の反射光を検出して前記多層光記録媒体の欠陥情報を収集し、前記第１情報記録層が欠陥領域となるか否かにかかわらず、前記欠陥情報のレベルに応じて、前記光入射面からの距離が６５μｍ以下に設定される第２情報記録層の欠陥領域及び非欠陥領域を予め判別し、前記欠陥領域を回避しながら前記第２情報記録層に記録レーザー光を照射して情報を記録することを特徴とする多層光記録媒体の情報記録方法である。
【００１３】
本発明者らは、第１情報記録層に対して情報を記録する間に、この記録レーザー光の反射光（戻り光）を活用して多層光記録媒体の表面欠陥を検出できることに着目した。この結果、第２情報記録層ではその表面欠陥の状況を予め認識しながら記録することが可能となるので、第２情報記録層における情報の記録エラーを低減させることができ、記録後の再生信号品質を向上させることが可能となる。また、表面欠陥の検査するための時間を別途確保する必要が無いので、情報の記録開始動作が短縮でき、全体としての記録時間を短縮することができる。
【００１４】
上記発明では、前記欠陥情報を利用して前記多層光記録媒体の欠陥領域及び非欠陥領域を予め判別し、前記第２情報記録層の前記欠陥領域に対して、前記記録レーザー光による情報の記録を回避することが好ましい。この結果、表面欠陥等によって記録マークが十分に形成されない状態を回避できるので、情報が確実に記録されるようになる。
【００１５】
また上記発明では、前記第１情報記録層として、前記多層光記録媒体の光入射面からの距離が前記第２情報記録層よりも離れた情報記録層を選択することが好ましい。第１情報記録層への記録時は、欠陥領域を予め把握することができないが、第１情報記録層として光入射面から離れた情報記録層を選択しておけば、そもそも第１情報記録層の記録作業における表面欠陥の影響を低減できるからである。つまり、表面欠陥の影響を受け易い第２情報記録層に対する記録準備として、表面欠陥に強い第１情報記録層の記録作業を有効活用することができる。
【００１６】
さらに上記発明では、前記第１情報記録層として、前記多層光記録媒体の光入射面からの距離が最も離れた情報記録層を選択することが好ましい。また望ましくは、前記第２情報記録層として、前記多層光記録媒体の光入射面からの距離が最も近い情報記録層を選択する。
【００１７】
上記発明では、前記欠陥情報のレベルを利用して、複数の情報記録層の中から適した前記第２情報記録層を選択することが好ましく、このようにすると、表面欠陥が多い場合に、光入射面に最も近い情報記録層の使用自体を回避して、光入射面から離れた情報記録層を第２情報記録層として記録作業を行うことができる。一方、表面欠陥が少ない場合には、積極的に光入射面に近い情報記録層を利用して情報の記録を行うこともできる。このよに、複数の情報記録層の中から柔軟に情報記録層を選択できるようにすれば、記録効率を一層高めることができる。
【００１８】
また上記発明では、前記多層光記録媒体が外部に取り出されたと判断した場合、前記欠陥情報を初期化することが好ましい。同じ媒体であっても、一度取り出された場合は、新たな表面欠陥が生じている可能性もあるからである。
【００１９】
さらに上記発明では、前記第１情報記録層に対する情報記録が所定量に達したと判断した場合に、前記第２情報記録層に対する情報記録行為に移行することが好ましい。第１情報記録層の記録容量（記録面積）には物理的に限界があるため、一度の記録作業で多くの記録領域を利用してしまうと、同じ領域で欠陥情報を収集することが出来なくなってしまう。従って本発明のように、第１情報記録層に対する情報記録作業に上限を設定することで、検査済み領域について積極的に多層方向に情報を記録していくようにする。つまり、複数の情報記録層に関して一層ずつ記録していくのではなく、表面欠陥の検査目的が達成された後は、多層方向に情報を記録していくことで、情報記録層を有効活用できるようになる。また、ディスクの初期使用時は多層光記録媒体が清潔な状態であり、使用時間が長くなるにつれて汚れが増大する可能性が高いが、第１情報記録層に情報記録時に検出される欠陥情報のレベルが低い場合には、この所定量を小さく設定することで早期に第２情報記録層に移行させ、検査済み以外の領域を含めて情報を記録することも可能になる。一方、欠陥情報のレベルが高い場合には、所定量を大きく設定して検査済み領域を大きく確保し、この検査済み領域に限定して第２情報記録層に情報を記録することもできるようになる。
【００２０】
また上記発明では、前記所定量として、記録領域又は情報記録量が予め設定されていることが好ましい。さらに望ましくは、前記所定量として、情報記録時間が予め設定されているようにする。また、前記第１情報記録層に対する前記記録レーザー光による情報記録領域に対して、前記第２情報記録層の情報記録領域を厚さ方向に重ならせることが好ましい。このようにすると、欠陥情報を収集した領域と第２情報記録層に対する記録領域を確実に一致させることが出来るので、情報記録の信頼性を一層高めることが出来る。
【００２１】
さらに上記発明では、前記第１情報記録層が、記録された情報を消去して再度の記録が可能な書換型であることが好ましい。
【００２２】
上記目的を達成するためになされた本発明は、複数の情報記録層を備えた多層光記録媒体に対して情報を記録する情報記録装置に用いられる多層光記録用制御装置であって、光入射面からの距離が６５μｍよりも大きく設定される第１情報記録層に記録レーザー光を照射して情報を記録する際の前記記録レーザー光の反射光を検出して前記多層光記録媒体の欠陥情報を収集する欠陥情報収集部と、前記第１情報記録層が欠陥領域となるか否かにかかわらず、前記欠陥情報収集部における前記欠陥情報のレベルに応じて、前記光入射面からの距離が６５μｍ以下に設定される第２情報記録層の欠陥領域及び非欠陥領域を設定する欠陥領域設定部と、前記欠陥領域を回避しながら前記第２情報記録層に対する情報の記録を指示する情報書込み指示部と、を備える事を特徴とする多層光記録用制御装置である。
【００２３】
また上記目的を達成するためになされた本発明は、上記の多層光記録用制御装置と、前記記録レーザー光を発生するレーザー光源と、前記レーザー光源を制御するレーザーコントローラと、前記記録レーザー光を前記多層光記録媒体に導く光学機構と、前記記録レーザー光の反射光を検出して情報を前記制御装置に提供する光検出装置と、を備える事を特徴とする多層光記録媒体の情報記録装置である。
【発明の効果】
【００２４】
本発明の情報記録方法等によれば、多層光記録媒体の表面に指紋等の欠陥が存在した場合であっても、特別な検査時間を要さずに情報の記録特性の悪化を低減できるという優れた効果を奏し得る。
【発明を実施するための最良の形態】
【００２５】
以下、図面を参照しながら本発明の実施の形態について詳細に説明する。
【００２６】
まず、図１（Ａ）により、本発明の実施形態に係る情報記録装置で用いられる多層光記録媒体１について説明する。この多層光記録媒体１は外径が約１２０ｍｍ、厚みが約１．２ｍｍとなる円盤状の媒体である。図１（Ｂ）に拡大して示されるように、多層光記録媒体１は、基板１０と、Ｌ０情報記録層２０と、第１スペーサー層３０と、Ｌ１情報記録層２２と、第２スペーサー層３２と、Ｌ２情報記録層２４と、第３スペーサー層３４と、Ｌ３情報記録層２６と、カバー層３６と、ハードコート層３８がこの順に積層されて構成される。
【００２７】
第１〜第３スペーサー層３０、３２、３４、カバー層３６及びハードコート層３８は、全て光透過性を有しており、外部から入射されるレーザー光を透過するようになっている。この結果、ハードコート層３８の光入射面３８Ａから入射されるレーザー光Ｚを用いれば、Ｌ０〜Ｌ３情報記録層２０、２２、２４、２６、２８の全てに対する情報の記録・再生が可能となっている。
【００２８】
Ｌ０情報記録層２０は、光入射面３８Ａから最も遠い反光入射側情報記録層となり、Ｌ３情報記録層２６が、最も光入射面３８Ａに近接する光入射側情報記録層となる。Ｌ０情報記録層２０に対して情報の記録・再生を行う場合には、Ｌ１〜Ｌ３情報記録層２２、２４、２６を介してＬ０情報記録層２０にレーザー光Ｚを照射する。同様に、Ｌ１情報記録層２２に対して情報の記録・再生を行う場合には、Ｌ２、Ｌ３情報記録層２４、２６を介してＬ１情報記録層２２にレーザー光Ｚ２を照射する。Ｌ２情報記録層２４に対して情報の記録・再生を行う場合には、Ｌ３情報記録層２６を介してＬ２情報記録層２４にレーザー光を照射する。Ｌ３情報記録層２６に対して情報の記録・再生を行う場合には、他の情報記録層を介することなく、Ｌ３情報記録層２６にレーザー光Ｚを直接照射する。なお、この多層光記録媒体１では、Ｌ０〜Ｌ３情報記録層２０、２２、２４、２６の全ての記録容量が２５ＧＢに設定されており、全体で１００ＧＢの記録容量が確保されている。
【００２９】
基板１０は、厚さ約１．１ｍｍのとなる円盤状の部材であり、その素材として例えば、ガラス、セラミックス、樹脂等の種々の材料を用いることができる。ここではポリカーボネート樹脂を用いている。なお、樹脂としてはポリカーボネート樹脂以外にも、オレフィン樹脂、アクリル樹脂、エポキシ樹脂、ポリスチレン樹脂、ポリエチレン樹脂、ポリプロピレン樹脂、シリコーン樹脂、フッ素系樹脂、ＡＢＳ樹脂、ウレタン樹脂等を採用することも出来る。中でも加工や成型の容易性から、ポリカーボネート樹脂やオレフィン樹脂が好ましい。また、基板１０における情報記録層側の面には、用途に応じて、グルーブ、ランド、ピット列等が形成される。
【００３０】
第１〜第３スペーサー層３０、３２、３４は、Ｌ０〜Ｌ３情報記録層２０、２２、２４、２６の間に積層されており、各情報記録層２０、２２、２４、２６との間を離間させる機能を有する。各スペーサー層３０、３２、３４の光入射面３８Ａ側表面には、グルーブ（ランド）、ピット列等が形成されている。第１〜第３スペーサー層３０、３２、３４の材料は様々なものを用いることが出来るが、既に述べたように、レーザー光Ｚを透過させる為に光透過性材料を用いる必要がある。例えば、紫外線硬化性アクリル樹脂を用いることも好ましい。
【００３１】
又この多層光記録媒体１では、第１スペーサー層３０の厚みが１７μｍ、第２スペーサー層３２の厚みが２０μｍ、第３スペーサー層３４の厚みが１３μｍに設定されている。このように、スペーサー層３０、３２、３４の厚みを互いに異ならせることで、再生信号の干渉が低減して、読み取り信号のノイズを低減させることができる。なお、ハードコート層３８の厚みは２μｍ、カバー層３６の厚みは４８μｍに設定されている。
【００３２】
従って、この多層光記録媒体１では、光入射面３８ＡからＬ３情報記録層２６までの距離は約５０μｍ、光入射面３８ＡからＬ２情報記録層２４までの距離は約６３μｍ、光入射面３８ＡからＬ１情報記録層２２までの距離は約８３μｍ、光入射面３８ＡからＬ０情報記録層２０までの距離は約１００μｍとなっている。Ｌ０情報記録層２０については、記録容量（２５ＧＢ）を含めてブルーレイ・ディスク（Ｂｌｕ−ｒａｙ  Ｄｉｓｃ）の規格に整合させている。
【００３３】
これらのＬ０〜Ｌ３情報記録層２０、２２、２４、２６は、データを保持する層である。データの保持形態としては、利用者による書き込みが可能ないわゆる記録型である。この記録型の場合、詳細には、一度データを書き込んだエリアに再度データの書き込みが出来ない追記型と、データを書き込んだエリアに対してデータを消去し、再度書き込みが可能な書換型があるが、いずれであっても構わない。又、情報記録層２０、２２、２４、２６において、データの保持形態を互いに異ならせることも可能である。特にＬ０情報記録層２０に関しては、一端消去可能な書換型が望ましく、後述するように、媒体の表面検査に再度利用できるようになる。
【００３４】
また図２に示されるように、Ｌ０〜Ｌ３情報記録層２０、２２、２４、２６には、基板１０及び第１〜第３スペーサー層３０、３２、３４の表面に螺旋状のグルーブ４２（ランド４４）が形成される。この場合、Ｌ０〜Ｌ３情報記録層２０、２２、２４、２６には記録膜が形成されており、レーザー光Ｚのエネルギーによって記録マーク４６を形成可能となっている。グルーブ４２は、データ記録時におけるレーザー光Ｚのガイドトラックとしての役割を果たし、このグルーブ４２に沿って進行するレーザー光Ｚのエネルギー強度が変調される事によって、グルーブ４２上の情報記録層２０、２２、２４、２６に記録マーク４６が形成される。なお、データ保持態様が追記型の場合は、この記録マーク４６が不可逆的に形成され、消去することが出来ない。一方、データ保持態様が書き換え型の場合は、記録マーク４６が可逆的に形成され、消去及び再形成可能となっている。なお、この記録膜についても、光透過性と光反射特性の双方を併せ持つ必要がある。又ここではグルーブ４２上に記録マーク４６を形成する場合を示したが、ランド４４上に形成しても良く、グルーブ４２とランド４４の双方に形成することも可能である。
【００３５】
このように、情報記録層２０、２２、２４、２６を多層にする場合、光入射面３８Ａから最も遠いＬ０情報記録層２０に対して十分な強度のレーザー光Ｚを到達させるために、他の情報記録層２２、２４、２６の光透過特性を高める必要がある。本発明者らの研究によると、光入射面３８Ａに最も近いＬ３情報記録層２６の光透過度を８０％程度に設定することが望ましい。
【００３６】
次に、多層光記録媒体１に信号を記録する際の表面欠陥の影響等について説明する。
【００３７】
本構造の多層光記録媒体１にデータを記録する場合、光入射面３８Ａから入射させる記録用のレーザー光Ｚの焦点を、Ｌ０〜Ｌ３情報記録層２０、２２、２４、２６のいずれかに合わせる。例えば図３（Ａ）に示されるように、Ｌ３情報記録層２６に記録する場合、このＬ３情報記録層２６において、レーザー光Ｚ３のビームスポットＳが実質的に最小となるようにフォーカス制御される。この際、光入射面３８Ａには、ビームスポットＳよりも大きな中間ビームスポットＳ３がレーザー光Ｚ３により形成されている。また、図３（Ｂ）に示されるように、Ｌ２情報記録層２４に記録する場合、このＬ２情報記録層２４において、レーザー光Ｚ２のビームスポットが実質的に最小となるようにフォーカス制御される。この際、光入射面３８Ａには、ビームスポットＳよりも大きな中間ビームスポットＳ２がレーザー光Ｚ２により形成されている。図３（Ｃ）に示されるように、Ｌ１情報記録層２２に記録する場合、このＬ１情報記録層２２において、レーザー光Ｚ１のビームスポットが実質的に最小となるようにフォーカス制御される。この際、光入射面３８Ａには、ビームスポットＳよりも大きな中間ビームスポットＳ１がレーザー光Ｚ１により形成されている。図３（Ｄ）に示されるように、Ｌ０情報記録層２０に記録する場合、このＬ０情報記録層２０において、レーザー光Ｚ０のビームスポットが実質的に最小となるようにフォーカス制御される。この際、光入射面３８Ａには、ビームスポットＳよりも大きな中間ビームスポットＳ０がレーザー光Ｚ０により形成されている。
【００３８】
図４には、光入射面３８Ａに形成される中間ビームスポットＳ０〜Ｓ３のサイズが比較されている。中間ビームスポットＳ３が最も小さく、Ｓ２、Ｓ１、Ｓ０の順に大きくなっていることがわかる。これは、光入射面３８Ａから情報記録層２０、２２、２４、２６までの距離が大きくなるほど、焦点（レーザースポットＳ）が光入射面３８Ａから離反する為である。多層光記録媒体１を利用者が持ち歩いたり、記録再生機に挿入したりする作業により、光入射面３８Ａに指紋や埃等の異物５０が付着する。この異物５０は多層光記録媒体１の記録特性を悪化させる。特に、光入射面３８Ａに形成される中間ビームスポットＳ０〜Ｓ３に対する異物５０の比率が大きくなる程、記録用のレーザー光Ｚのエネルギーが異物５０によって遮られてしまうので記録マークの形成が不十分となる。従ってＬ３情報記録層２６については、異物５０の影響を受けやすいことが理解できる。
【００３９】
［参考分析結果］
【００４０】
図５には、多層光記録媒体１に対して、指紋等の異物の存在の有無による記録特性の変化を調べた結果である。なお、多層光記録媒体１は後述する実施例と同じものを利用した。この多層光記録媒体１に対して、表面欠陥が存在しない時に記録したデータを再生したときのビットエラーレート（ｂＥＲ）と、人工的に指紋を付着した状態で記録したデータを再生したときのビットエラーレート（ｂＥＲ）を比較した。この分析の結果、光入射面３８Ａから光入射側情報記録層２６の距離が６５μｍ以内となるＬ２、Ｌ３情報記録層２４、２６においては、指紋付着の影響によって大幅にｂＥＲが増大してしまい１０−３を超えてしまう。従って、光入射面３８Ａに近いほど、表面欠陥が記録マークの形成に悪影響を与えることが明らかとなった。
【００４１】
次に、図６を参照して、本実施形態の情報記録方法を実現する情報記録装置１００について説明する。この情報記録装置１００は、記録・再生に利用するレーザー光Ｚを発生させるレーザー光源１０２、レーザー光源１０２を制御するレーザーコントローラ１０４、レーザー光Ｚを多層光記録媒体１に導く光学機構１０６、レーザー光Ｚの反射光を検出する光検出装置１０８、この光検出装置１０８の検出情報を解析する多層光記録用制御装置１１０、多層光記録媒体１を回転させるスピンドルモータ１１２、スピンドルモータ１１２を回転制御するスピンドルドライバ１１４、特に図示しないＣＰＵ（中央演算装置）との間で信号データのやり取りを行い、記録信号データ及び再生信号データに基づいて記録再生制御を行う信号処理装置１１６を備える。
【００４２】
レーザー光源１０２は半導体レーザーであり、レーザーコントローラ１０４によって制御されてレーザー光Ｚを発生させる。光学機構１０６は、特に図示しないハーフミラーや対物レンズを備え、レーザー光Ｚの焦点をＬ０〜Ｌ３情報記録層２０、２２、２４、２６に適宜合わせることが可能となっている。なお、ハーフミラーは、Ｌ０〜Ｌ３情報記録層２０、２２、２４、２６の反射光を取り出して光検出装置１０８に導くようにする。光検出装置１０８はフォトディテクタであり、レーザー光Ｚの反射光を受光して信号として出力する。この信号は信号処理装置１１６に提供され、再生信号データとしてＣＰＵに出力される。
【００４３】
ＣＰＵからの信号データを多層光記録媒体１に記録する際には、この信号データを受け取った信号処理装置１１６の指示に基づいて、レーザーコントローラ１０４がレーザー光源１０２を制御して、所定のレーザー光Ｚを発生させる。このレーザー光Ｚは、光学機構１０６によって案内されて、Ｌ０〜Ｌ３情報記録層２０、２２、２４、２６のいずれかにレーザースポットとして照射される。このレーザースポットのエネルギーによってＬ０〜Ｌ３情報記録層２０、２２、２４、２６に記録マークが形成される。
【００４４】
一方、多層光記録媒体１に記録された情報を再生するには、レーザー光源１０２から再生レーザー光を発生させて、この再生レーザー光をＬ０〜Ｌ３情報記録層２０、２２、２４、２６の特性の場所に照射する。再生レーザー光はＬ０〜Ｌ３情報記録層２０、２２、２４、２６で反射されて、光学機構１０６を介して取り出されて光検出装置１０８に導かれ、信号処理装置１１６を経て再生信号となってＣＰＵに提供されるようになっている。
【００４５】
図７には、多層光記録用制御装置１１０の内部構成が示されている。この多層光記録用制御装置１１０は、欠陥情報収集部１５０、欠陥領域設定部１５２、情報記録層選定部１５４、情報書込み指示部１５６、初期化処理部１５８等を備える。欠陥情報収集部１５０は、Ｌ０情報記録層２０に記録レーザー光を照射して情報を記録する際に、この記録レーザー光の反射光を、光検出装置１０８を介して検出し、この反射光の状態によって多層光記録媒体１の欠陥情報を収集する。この欠陥情報に基づいて光入射面３８Ａの表面欠陥の状態が明らかとされる。また、欠陥情報収集部１５０では、この表面欠陥の検出範囲を制限するために、記録作業に関する所定量が予め設定されており、その所定量に対応する欠陥情報が収集できた際に、Ｌ０情報記録層２０に対する記録作業を終了し、他のＬ１〜Ｌ３情報記録層２２、２４、２６に対する記録作業に移行するように指示する。なお、この所定量の判断として、一定のトラック数又はセクタ数や、情報記録量（ビット数、バイト数等）、記録時間等の数値を利用する事ができる。
【００４６】
欠陥領域設定部１５２は、欠陥情報に基づいて、記録作業に不具合が生じやすい領域を欠陥領域として決定し、この欠陥領域及び非欠陥領域を順次記憶していく。これにより、Ｌ０情報記録層２０において情報を記録した領域については、その表面欠陥が検査されたことになる。情報記録層選定部１５４は、欠陥情報又はこの欠陥情報に基づいて設定された欠陥領域の程度（レベル）により、Ｌ１〜Ｌ３情報記録層２２、２４、２６から適した情報記録層を選定する。本実施形態では、指紋等による表面欠陥が少ない場合には、Ｌ３情報記録層２６を選定し、次いで表面欠陥が少ない場合にはＬ２情報記録層２４を選定し、表面欠陥が多い場合にはＬ１情報記録層２２を選定するようにしている。このように、表面欠陥のレベルに応じて情報記録層２２、２４、２６を選定するのは、光入射面３８Ａに接近している程、記録作業時に表面欠陥の影響を受け易いからである。
【００４７】
情報書込み指示部１５６は、情報記録層選定部１５４で選択された情報記録層（以下、被選択情報記録層）であって、且つＬ０情報記録層２０の記録作業を経て表面欠陥の検査済みとなった領域（上記所定量に相当する領域）に対して、上記欠陥領域の記録を回避しながら情報を記録するように指示する。具体的にこの指示は、信号処理装置１１６に対して行われるようになっており、これらの指示を受けた信号処理装置１１６が、被選択情報記録層に記録レーザー光の焦点をあわせて情報を記録する。被選択情報記録層の上記検査済み領域に対する情報の書込みが完了した後は、再びＬ０情報記録層２０に戻って新たな記録作業が開始されるようにする。なお、初期化処理部１５８が、多層光記録媒体１が情報記録装置１００に挿入されるタイミングを検出して、挿入される度に、欠陥領域設定部１５２に記憶されている欠陥領域を初期化する。これは、一度取り出された多層光記録媒体１は、新たな指紋が付着している可能性があるからである。
【００４８】
図８は、この多層光記録用制御装置１１０を利用して情報を記録する手順を示したフローチャートである。
【００４９】
まず、ステップ２００において、初期化処理部１５８により、記録対象となる多層光記録媒体１が新たに挿入されたものか否かを判定し、一度、新たに挿入されたものである場合にはステップ２０２に進んで、前回の記録作業における欠陥情報等を全て初期化（リセット）してから、情報の記録作業（ステップ２０４）を開始する。
【００５０】
ステップ２０４では、Ｌ０情報記録層２０を利用して情報の記録作業を開始する。これと同時に、ステップ２０６において、欠陥情報収集部１５０が多層光記録媒体１からの反射光に基づいて光入射面３８Ａの欠陥情報（表面欠陥情報）を収集する。この際に、欠陥領域設定部１５２では、表面欠陥が有ると判定された欠陥情報とアドレス情報を利用して欠陥領域を決定し、特に図示しないメモリ領域に適宜記憶していく。
【００５１】
ステップ２０８では、この欠陥情報の収集量が所定量を超えたか否かを判定し、所定量を超えていない場合にはステップ２０４に戻ってＬ０情報記録層２０に対する書込み作業を継続する。一方、欠陥情報の収集量が所定量を超えたと判定された場合は、ステップ２１０に進んで、Ｌ０情報記録層２０に対する記録作業を中止し、ステップ２１２において、情報記録層選定部１５４により、欠陥領域の広さに基づいて表面欠陥のレベルを決定し、Ｌ１〜Ｌ３情報記録層２２、２４、２６から適した情報記録層を選定する。表面欠陥レベルが高い（欠陥が多い）場合には、表面欠陥の影響が少ないＬ１情報記録層２２を選定し、表面欠陥レベルが低い（欠陥が少ない）場合には表面欠陥の影響を受けやすいＬ３情報記録層２６を選定する。また表面欠陥が中間レベルの場合はＬ２情報記録層２４を選定する。また、ここでは特に図示しないが、情報記録層が選定された際に、その情報記録層の表面欠陥の許容レベルに基づいて、欠陥領域設定部１５２が欠陥領域と非欠陥領域を再設定するようにしている。なお、このように欠陥情報が収集された段階でその表面欠陥レベルが高い場合、音・光・映像等によるアラームを発生してユーザーに多層光記録媒体１を拭くように促すことも好ましい。
【００５２】
次に、ステップ２１４において、情報書き込み指示部１５６が、被選択情報記録層の検査済み領域に対して欠陥領域を回避しながら情報を記録するように、信号処理装置１１６に対して指示を行う。指示を受けた信号処理装置１１６は、欠陥領域を回避しながら被選択情報記録層に対して記録作業を行い（ステップ２１６）、検査済み領域に対する記録作業が完了したか否かを判定し（ステップ２１８）、検査済み領域の記録が完了した場合には、ステップ２００に戻って、Ｌ０情報記録層２０を利用した新領域での記録作業を開始する。
【００５３】
この情報記録装置１００によれば、Ｌ０情報記録層２０対して情報を記録する間に、このレーザー光の反射光（戻り光）を活用して多層光記録媒体１の表面欠陥を検出する。従って、耐指紋性に劣るＬ３情報記録層２６においても、表面欠陥の状況を予め認識しながら記録することが可能となるので、情報の記録エラーを低減させることができる。正確な記録作業は、記録後の再生信号特性を向上させることにも繋がる。また、情報を記録しながら、その記録レーザー光を有効活用しているので、表面欠陥の検査時間を別途確保する必要が無くなり、全体としての記録時間を短縮することができるようになる。
【００５４】
またこの情報記録装置１００では、Ｌ３情報記録層２６に対する記録作業時に、欠陥領域設定部１５２によって欠陥領域であると判断された領域への記録作業を回避しているので、記録エラーを低減させることが可能になる。
【００５５】
更に、光入射面３８Ａから最も離れていることで耐指紋性に優れたＬ０情報記録層２０を利用して、情報記録及び表面検査を同時進行させているので、そもそもＬ０情報記録層２０の記録作業では表面欠陥の影響を抑制することが出来る。また、この表面検査を行った後は、耐指紋性の劣るＬ３情報記録層２６に対して積極的に記録作業を行うので、表面欠陥に強いＬ０情報記録層２０と、表面欠陥の影響を受け易いＬ３情報記録層２６の双方において効率的な情報記録作業を実現できる。また、表面欠陥が多い場合には、比較的耐指紋性に優れたＬ１又はＬ２情報記録層２２、２４を選択する事ができるので、多層光記録媒体１の記録領域を有効活用できる。
【００５６】
また、本情報記録装置１００では、Ｌ０情報記録層２０に対する情報記録作業に上限を設定し、所定量に達したと判断した場合に他の情報記録層２２、２４、２６に対する情報記録行為に移行するようになっている。この結果、Ｌ０情報記録層２０に対して不必要に広い面積を検査してしまうことを防止できる。例えばこの所定量は、一度の記録作業で処理する総情報量に基づいて毎回設定することも可能であり、Ｌ０〜Ｌ３情報記録層２０、２２、２４、２６に対して均等に記録していくと仮定して、総情報量の４分の１を所定量として設定するようにしてもよい。
【００５７】
また、本実施形態では、Ｌ０情報記録層２０の記録によって表面検査された領域と、他の情報記録層２２、２４、２６における記録領域が厚さ方向に重なっているので、欠陥領域の信頼性を高めることが可能となる。
【００５８】
なお、上記実施形態では、Ｌ０情報記録層２０の記録作業時に欠陥情報を収集する場合に限って示したが、本発明はそれに限定されない。例えば、Ｌ０情報記録層２０の記録作業が完了した後、他の情報記録層２２、２４、２６の記録作業時も欠陥情報を収集することが可能である。また、本実施形態では、被選択情報記録層の欠陥領域に対しては情報を記録しないようにしたが、本発明はそれに限定されず、欠陥領域に対しては、表面欠陥に対する耐久性を高い信号を集中的に記録するようにしてもよく、また、欠陥領域を含む一定の範囲については、異なる信号処理方法（特に再生エラーに対する復元力に優れた信号処理方法）によって情報を記録するようにしてもよい。
【００５９】
更に、被選択情報記録層の欠陥領域に情報を記録する際には、単位記録マーク（１ビットに割り当て可能な媒体条の距離）を長くすることで、表面欠陥の影響を低減させるようにしてもよい。具体的には、図２に示されるように、各記録マーク４６の線密度、即ち単位記録マーク４６の螺旋方向長さＴを大きくすることによって、記録密度を小さくして、表面欠陥に対する耐久性を高めるようにする。この線密度の制御は、レーザー光Ｚがグルーブを進行する際の線速度（即ちディスクの回転速度）を制御すればよく、例えば、通常は記録線速度を４．９ｍ／ｓに設定しておくが、表面欠陥が存在する領域については記録線速度を５．７ｍ／ｓに変更する。このように、ディスクの回転速度を変化させれば、レーザー光Ｚ側の記録タイミングを変化させることなく、容易に線密度を変化させることが可能になる。なお、線密度を変化させる以外にも、表面欠陥が存在する領域については、隣接するグルーブ４３の双方に情報が記録されないように制御することで、実質的に記録密度を小さくすることも可能である。
【００６０】
［実施例］
【００６１】
多層光記録媒体を作成し、本実施形態に係る情報記録装置１００を用いて所定の情報記録層に情報の記録を行いつつ、多層光記録媒体１の表面欠陥の状態を検出した結果を下記に示す。
【００６２】
［多層光記録媒体の作成］
【００６３】
まず、射出成型法によって基板１０を製造した。基板１０の表面にはトラックピッチが０．３２μｍとなる螺旋状のグルーブを形成した。基板１０の素材としてポリカーボネート樹脂を用い、厚みを１．１ｍｍ、直径１２０ｍｍに設定した。
【００６４】
次に、この基板１０をスパッタリング装置にセットし、グルーブが形成される側の表面に対して厚さ４８ｎｍとなるＬ０情報記録層２０を形成した。具体的には、Ｌ０情報記録層２０の組成は、ビスマス（Ｂｉ）、酸素（Ｏ）、ゲルマニウム（Ｇｅ）であり、その組成比率（ａｔｍ％）をＢｉ：Ｏ：Ｇｅ＝２９：７０：１に設定した。
【００６５】
次に、Ｌ０情報記録層２０が形成された基板１０をスピンコート装置にセットし、回転させながらアクリル系紫外線硬化性樹脂を滴下し、これをスピンコートした。その後、スピンコートされた樹脂の表面に対して、螺旋状のグルーブパターンを有する光透過性スタンパを押し当て、この光透過性スタンパを介して、紫外線を樹脂に照射して硬化させた。硬化後に、光透過性スタンパを剥離することで、螺旋状のグルーブ（トラックピッチが０．３２μｍ）を備えた厚み１７μｍの第１スペーサー層３０が完成した。
【００６６】
次に、Ｌ０情報記録層２０と同様の手法により、第１スペーサー層３０の上にＬ１情報記録層２２を形成した。なお、ビスマス（Ｂｉ）、酸素（Ｏ）、ゲルマニウム（Ｇｅ）の組成比率（ａｔｍ％）をＢｉ：Ｏ：Ｇｅ＝２５：７１：４に設定し、厚さを６２ｎｍとした。
【００６７】
更に第１スペーサー層３０と同様の手法により、Ｌ１情報記録層２２の上に第２スペーサー層３２を形成した。なお、第２スペーサー層３２の厚みは２０μｍに設定した。次いで、第２スペーサー層３２の上に、厚さ６８ｎｍ、ビスマス（Ｂｉ）、酸素（Ｏ）、ゲルマニウム（Ｇｅ）の組成比率（ａｔｍ％）がＢｉ：Ｏ：Ｇｅ＝２５：６８：７に設定されたＬ２情報記録層２４を形成し、その上に、厚さ１３μｍの第３スペーサー層３４を形成し、更に第３スペーサー層３４の上に、厚さ７３ｎｍ、ビスマス（Ｂｉ）、酸素（Ｏ）、ゲルマニウム（Ｇｅ）の組成比率（ａｔｍ％）がＢｉ：Ｏ：Ｇｅ＝２３：６８：９に設定されたＬ３情報記録層２６を形成した。
【００６８】
そして、Ｌ３情報記録層２６が形成された基板１０をスピンコート装置にセットし、回転させながらアクリル系紫外線硬化性樹脂を滴下し、これに紫外線を照射して厚み４８μｍのカバー層３６を完成させた。
【００６９】
更に、カバー層３６の上に、紫外線／電子線硬化型ハードコート剤をスピンコート法により塗布した後、大気中で３分間加熱して被膜内部の希釈溶剤を除去し、未硬化ハードコート材料層を形成した。この未硬化のハードコート材料層に対して、表面材料溶液をスピンコート法によって塗布した。なお、この表面材料溶液は、フッ素系溶剤（９９．５重量部）に、パーフルオロポリエーテルジアクリレート（０．３３重量部、分子量：約２０００）と、３−パーフルオロオクチル−２−ヒドロキシプロピルアクリレート（０．１７重量部）とを加えて調整したものである。その後、ハードコート材料層を６０℃で３分間乾燥し、更に、窒素気流下で電子線を照射してハードコート材料層と表面材料溶液を同時に硬化させ、ハードコート層３８を完成させた。なお、電子線の照射については、電子線照射装置Ｃｕｒｅｔｒｏｎ（日新ハイボルテージ株式会社製）を用い、電子線加速電圧を２００ｋＶ、照射線量を５Ｍｒａｄとした。照射雰囲気の酸素濃度は８０ｐｐｍであった。このようにして、多層光記録媒体１を得た。
【００７０】
［サンプル記録作業の評価］
【００７１】
多層光記録媒体１の光入射面３８Ａに人工指紋を付着させた。人口指紋の付着手順として、まず人工指紋の素材として、微粒子粉体として機能するＪＩＳＺ８９０１に定められた試験用粉体１第１１種（中位径：１．６〜２．３μｍ）の関東ローム（０．４重量部）と、分散媒として機能するトリオレイン（１重量部）と、希釈剤として機能するメトキシプロパノール（１０重量部）を混合・攪拌して、これを人工指紋液とした。次に、擬似指紋パターン転写用の原版を作製した。具体的には、人工指紋液をマグネティックスターラーでよく攪拌しながら約１ｍＬを採取し、これをポリカーボネート製基板（直径１２０ｍｍ、厚さ１．２ｍｍ）上にスピンコート法により塗布した。この基板を６０℃で３分間加熱して、不要な希釈剤であるメトキシプロパノールを完全に除去した。このようにして、擬似指紋パターン転写用の原版を得た。
【００７２】
更に、Ｎｏ．１シリコーンゴム栓の小さい方の端面（直径１２ｍｍ）を、＃２４０の研磨紙（ＪＩＳ規定のＡＡ２４０研磨紙と同等性能を有する）で一様に研磨し、擬似指紋転写材（いわゆる擬似的な指先）を形成した。この擬似指紋転写材の研磨端面を、上記原版に荷重４．９Ｎで１０秒間押し当てて人工指紋液成分を転写材の前記端面に移行させ、更に、この人工指紋液成分の付着量を予め低減させるために、この転写材の前記端面を、ポリカーボネート基板に荷重４．９Ｎで１０秒間押し当てる操作をこのポリカーボネート基板の異なる箇所に連続して３回行った。
【００７３】
このようにして準備された擬似指紋転写材の端面を、多層光記録媒体１のハードコート層３８の光入射面３８Ａにおいて、中心から半径方向に４０ｍｍ付近のところに荷重２９Ｎで１０秒間押し当てて、人工指紋液成分を光入射面３８Ａに転写することで、これを人口指紋とした。
【００７４】
情報記録装置１００を用いて、この多層光記録媒体１におけるＬ０情報記録層２０の見記録領域に対してレーザー光Ｚを照射し、この反射光を光検出装置１０８で検出した。図９（Ａ）は、光入射面３８Ａから約１００μｍに位置するＬ０情報記録層２０に対してビームスポットＳを照射した場合のｓｕｍ信号である。図からも明らかなように、信号の変化状況を利用すれば、指紋領域と一致する領域を欠陥領域ＥＡとして検出できることが分かった。また、図５で示した様に、Ｌ０情報記録層２０では、指紋付着によるｂＥＲの悪化が少ないので、記録再生を確実に行うことができる。このｂＥＲの悪化が少ない理由は、図９（Ａ）で示されるように、指紋が存在する欠陥領域ＥＡにおいても反射光の変化が比較的緩やかであり、情報記録作業における指紋の影響が少なくて済むからと考えられる。従って、記録作業と光入射面３８Ａの指紋検出作業を同時に行うことができることが明らかとなった。
【００７５】
又図９（Ｂ）は、光入射面３８Ａから約５０μｍの位置のＬ３情報記録層２６に対してビームスポットＳを照射した場合のｓｕｍ信号である。図９（Ｂ）からも明らかなように、指紋領域と一致する領域ＥＢでは、反射光が急峻に変化しているので、情報記録に対する影響が大きいことが分かった。また図５で示した様に、Ｌ３情報記録層２６では、指紋付着によってｂＥＲが大きく悪化することが実際に分かっている。以上のことから、Ｌ０情報記録層２０を利用して情報を記録しながら欠陥領域ＥＡを判別し、耐指紋性が低いＬ３情報記録層２６では欠陥領域ＥＢを予め回避しながら情報を記録することで、記録エラー自体を低減できることが明らかとなった。
【００７６】
本実施形態の情報記録装置１００によれば、光入射面から約１００μｍという極めて狭い範囲内に３層以上、好ましくは４層以上の情報記録層が積層される多層光記録媒体であっても、表面欠陥を回避しながら効率的に情報の記録を行うことができる。なお、本実施形態では、多層光記録媒体の情報記録層が４層の場合に限って示したが、本発明はそれに限定されず、２層、３層でもよく、又５層以上であっても良い。
【００７７】
更に本実施形態では、第１情報記録層として、光入射面３８Ａから最も遠いＬ０情報記録層２０を利用する場合に限って示したが、本発明はそれに限定されず、他の情報記録層を利用してもよい。例えば、最も光入射面から遠い情報記録層の所定の領域には既に情報が記録されている場合には、次に遠い情報記録層を適宜選択して、記録及び表面欠陥の検出を行うようにしても良い。
【００７８】
なお、本発明の情報記録装置は、上記した実施の形態に限定されるものではなく、本発明の要旨を逸脱しない範囲内において種々変更を加え得ることは勿論である。
【産業上の利用可能性】
【００７９】
本発明によれば、多層光記録媒体の特徴を有効活用して、確実且つ効率的に情報を記録していくことが可能となる。
【図面の簡単な説明】
【００８０】
【図１】本発明の実施の形態で利用される多層光記録媒体を示す斜視図、及び拡大断面図
【図２】同多層光記録媒体の情報記録層におけるデータ保持形態を示す拡大斜視図
【図３】同多層光記録媒体の各情報記録層の情報を記録する状態を示す断面図
【図４】同多層光記録媒体の光入射面に形成されるビームスポット及び付着する指紋を模式的に示す拡大平面図
【図５】光記録媒体の情報記録層の位置と記録時の耐指紋特性の関係を分析した結果を示す図表
【図６】本発明の実施の形態に係る情報記録装置の構成を示すブロック図
【図７】同情報記録装置に組み込まれる多層光記録制御装置の構成を示すブロック図
【図８】同情報記録装置に情報記録手順を示すフローチャート
【図９】実施例において光入射面の指紋が検出された状態を示す解析図
【図１０】従来のＤＶＤの構造を模式的に示した断面図
【図１１】従来のハイブリットＤＶＤの構造を模式的に示した断面図
【図１２】光記録媒体における指紋の影響を示す図表
【符号の説明】
【００８１】
１        ・・・        多層光記録媒体
１０        ・・・        基板
２０        ・・・        Ｌ０情報記録層
２２        ・・・        Ｌ１情報記録層
２４        ・・・        Ｌ２情報記録層
２６        ・・・        Ｌ３情報記録層
３０        ・・・        第１スペーサー層
３２        ・・・        第２スペーサー層
３４        ・・・        第３スペーサー層
３６        ・・・        カバー層
３８        ・・・        ハードコート層
３８Ａ    ・・・        光入射面
１００    ・・・        情報記録装置
１０２    ・・・        レーザー光源
１０４    ・・・        レーザーコントローラ
１０６    ・・・        光学機構
１０８    ・・・        光検出装置
１１０    ・・・        多層光記録用制御装置
１１２    ・・・        スピンドルモータ
１１４    ・・・        スピンドルドライバ
１１６    ・・・        信号処理装置
１５０    ・・・        欠陥情報収集部
１５２    ・・・        欠陥領域設定部
１５４    ・・・        情報記録層選定部
１５６    ・・・        情報書込み指示部
１５８    ・・・        初期化処理部
【図１】
0004525604.tif 000002
【図２】
0004525604.tif 000003
【図３】
0004525604.tif 000004
【図４】
0004525604.tif 000005
【図５】
0004525604.tif 000006
【図６】
0004525604.tif 000007
【図７】
0004525604.tif 000008
【図８】
0004525604.tif 000009
【図９】
0004525604.tif 000010
【図１０】
0004525604.tif 000011
【図１１】
0004525604.tif 000012
【図１２】
0004525604.tif 000013